(57)【要約】【課題】  スパイクシューズの爪先保護部を釘やリベット等を用いずに簡単に取り付けることができる爪先保護部取付構造を提供する。【解決手段】スパイクシューズ１の爪先部に爪先保護部２を取り付けるための取付構造であって、爪先保護部２が、爪先部の周縁領域において内周側に突出する一つまたは複数の凸条部（係合凸部／係合部）２１ａを有しており、スパイクシューズ１のトウガード（ソール）１３が、爪先部の周縁領域において、爪先保護部２の凸条部２１ａが係合し得る一つまたは複数の凹溝（係合凹部／被係合部）１３ａを有している。【選択図】  図７
2020039605.tif 000002
【特許請求の範囲】
【請求項１】
スパイクシューズの爪先部に爪先保護部を取り付けるための取付構造であって、
前記爪先保護部が、前記爪先部の周縁領域に係合部を有しており、
スパイクシューズのソールが、前記爪先部の前記周縁領域において、前記爪先保護部の前記係合部が係合し得る被係合部を有している、
ことを特徴とするスパイクシューズのための爪先保護部取付構造。
【請求項２】
請求項１において、
前記係合部が、前記爪先部の前記周縁領域において、前記爪先保護部の内周側に突出する一つまたは複数の係合凸部であり、
前記被係合部が、前記爪先部の前記周縁領域において、前記係合凸部が係合し得る一つまたは複数の係合凹部である、
ことを特徴とするスパイクシューズのための爪先保護部取付構造。
【請求項３】
請求項１において、
前記被係合部が、前記爪先部の前記周縁領域において、前記ソールの外周側に突出する一つまたは複数の係合凸部であり、
前記係合部が、前記爪先部の前記周縁領域において、前記係合凸部が係合し得る一つまたは複数の係合凹部である、
ことを特徴とするスパイクシューズのための爪先保護部取付構造。
【請求項４】
請求項２または３において、
前記係合凸部が、前記爪先部の前記周縁領域に沿って周方向に延びる凸条部であり、
前記係合凹部が、前記爪先部の前記周縁領域に沿って周方向に延びる凹溝である、
ことを特徴とするスパイクシューズのための爪先保護部取付構造。
【請求項５】
請求項２ないし４のいずれかにおいて、
前記係合凸部が円弧状、半円状、円形状、矩形状または台形状の断面形状を有しており、前記係合凹部がこれらの形状の相補的形状の断面形状を有している、
ことを特徴とするスパイクシューズのための爪先保護部取付構造。
【請求項６】
請求項１において、
前記爪先保護部の一部が、前記爪先部の前記周縁領域において、周方向に複数の領域に分断されている、
ことを特徴とするスパイクシューズのための爪先保護部取付構造。
【請求項７】
請求項１において、
前記爪先保護部が、前記爪先部の甲被上面に配置される上面部と、前記爪先部の前記周縁領域に沿って配設され、前記上面部に連結された周縁部とを有するとともに、前記周縁部が前記係合部を有している、
ことを特徴とするスパイクシューズのための爪先保護部取付構造。
【請求項８】
請求項７において、
前記周縁部が前記ソールの底面側への延設部を有していない、
ことを特徴とするスパイクシューズのための爪先保護部取付構造。
【請求項９】
請求項１において、
前記爪先保護部が略Ｌ字状の前後方向断面形状を有している、
ことを特徴とするスパイクシューズのための爪先保護部取付構造。
【請求項１０】
請求項１において、
前記被係合部が、スパイクシューズのアウトソールから延びるトウガードに設けられている、
ことを特徴とするスパイクシューズのための爪先保護部取付構造。
【請求項１１】
請求項１において、
前記係合部および前記被係合部が係脱可能に設けられている、
ことを特徴とするスパイクシューズのための爪先保護部取付構造。
【発明の詳細な説明】
【技術分野】
【０００１】
本発明は、スパイクシューズの爪先部に爪先保護部を取り付けるための取付構造に関し、詳細には、その構造の改良に関する。
【背景技術】
【０００２】
スポーツシューズ（とくに野球のピッチャー用シューズ）のつま先カバーとして、特開２００８−２８４１１３号公報の図１および図２には、靴の甲被の前方を覆う甲被部（１６）と、靴の最前方に配置され、本体（１２ａ）および底面（１２ｂ）からなる保護部（１２）とを有し、甲被部（１６）および保護部（１２）の軟化温度が５０〜１００℃に設定されたつま先カバー（１０）が記載されている（同公報の段落［００１６］〜［００１７］参照）。
【０００３】
上記つま先カバー（１０）をシューズに取り付ける際には、つま先カバー（１０）に熱風を当てて軟化させ、軟化したつま先カバー（１０）をシューズに当てて密着させた状態で放置し、さらに底面（１２ｂ）に釘打ちをして靴底に固定するようにしている（同公報の段落［００１９］参照）。
【０００４】
また、特開昭６４−８３２０２号公報の第５図には、靴（Ｓ）の爪先部分が挿入される横開口部（イ）と、靴（Ｓ）の爪先部分の底周縁に固定される補強皮革（ロ）が接着された固定用周縁（ハ）とを有し、靴（Ｓ）の爪先部分の底周縁に固定用周縁（ハ）を重ねた状態で釘（Ｎ）を用いて靴底に固定する野球靴用爪先保護カバーが記載されている（同公報の第１頁右下欄第６〜１３行参照）。
【発明の概要】
【発明が解決しようとする課題】
【０００５】
上述したいずれの公報に記載のものにおいても、つま先カバー／爪先保護カバーを釘を用いて靴底に固定するようにしており、そのため、釘打ちのための打ち代として、底面（１２ｂ）（特開２００８−２８４１１３号公報）や補強皮革（ロ）（特開昭６４−８３２０２号公報）を靴底側に配置する必要があった。ところが、靴底側にこれらの部材を配置したことで、スパイクを靴底の爪先先端側に設置することができず、その結果、スパイクの設置レイアウトに制限があった。
【０００６】
本発明は、このような従来の実情に鑑みてなされたもので、本発明が解決しようとする課題は、スパイクシューズの爪先保護部を釘やリベット等を用いずに簡単に取り付けることができる取付構造を提供することにある。
【課題を解決するための手段】
【０００７】
本発明は、スパイクシューズの爪先部に爪先保護部を取り付けるための取付構造であって、爪先保護部が爪先部の周縁領域に係合部を有しており、スパイクシューズのソールが爪先部の周縁領域において、爪先保護部の係合部が係合し得る被係合部を有している。
【０００８】
本発明によれば、爪先保護部をスパイクシューズの爪先部に取り付ける際には、爪先保護部の係合部をスパイクシューズのソールの被係合部に係合させればよく、取付時に釘やリベット等を必要としないので、簡単に取り付けることが可能である。また、釘打ちやリベット打ちのための打ち代をソール底面側に必要としないので、スパイクをソールの爪先先端側に配置できるようになって、スパイクの設置レイアウトの自由度を向上できるとともに、爪先部の接地時の支持安定性を向上できる。
【０００９】
本発明においては、係合部が爪先部の周縁領域において爪先保護部の内周側に突出する一つまたは複数の係合凸部であり、被係合部が爪先部の周縁領域において係合凸部が係合し得る一つまたは複数の係合凹部である。
【００１０】
本発明においては、被係合部が爪先部の周縁領域においてソールの外周側に突出する一つまたは複数の係合凸部であり、係合部が爪先部の周縁領域において係合凸部が係合し得る一つまたは複数の係合凹部である。
【００１１】
本発明においては、係合凸部が爪先部の周縁領域に沿って周方向に延びる凸条部であり、係合凹部が爪先部の周縁領域に沿って周方向に延びる凹溝である。
【００１２】
本発明においては、係合凸部が円弧状、半円状、円形状、矩形状または台形状の断面形状を有しており、係合凹部がこれらの形状の相補的形状の断面形状を有している。
【００１３】
本発明においては、爪先保護部の一部が爪先部の周縁領域において周方向に複数の領域に分断されている。これにより、各領域とこれに隣り合う各領域との間の間隙が変化し得るようになっており、その結果、種々の爪先形状に対応でき、サイズの異なる種々のスパイクシューズに対応できる。
【００１４】
本発明においては、爪先保護部が、爪先部の甲被上面に配置される上面部と、爪先部の周縁領域に沿って配設され、上面部に連結された周縁部とを有するとともに、周縁部が係合部を有している。
【００１５】
本発明においては、周縁部がソールの底面側への延設部を有していない。
【００１６】
本発明においては、爪先保護部が略Ｌ字状の前後方向断面形状を有している。
【００１７】
本発明においては、被係合部がスパイクシューズのアウトソールから延びるトウガードに設けられている。
【００１８】
本発明においては、係合部および被係合部が係脱可能に設けられている。
【発明の効果】
【００１９】
以上のように、本発明に係るスパイクシューズの爪先保護部取付構造によれば、爪先保護部をスパイクシューズの爪先部に取り付ける際には、爪先保護部側の係合部をスパイクシューズのソール側の被係合部に係合させればよく、取付時に釘やリベット等を必要としないので、簡単に取り付けることが可能である。また、釘打ちやリベット打ちのための打ち代をソール底面側に必要としないので、スパイクをソールの爪先先端側に配置できるようになって、スパイクの設置レイアウトの自由度を向上できるとともに、爪先部の接地時の支持安定性を向上できる。
【図面の簡単な説明】
【００２０】
【図１】本発明の一実施例によるスパイクシューズを内甲側前方から見た全体斜視図である。
【図２】スパイクシューズ（図１）の前足部領域の平面概略図である。
【図３】スパイクシューズ（図１）の前足部領域の底面概略図である。
【図４】スパイクシューズ（図１）を構成するソールの前足部領域の内甲側側面概略図である。
【図４Ａ】図４の一部拡大図である。
【図５】スパイクシューズ（図１）を構成するソールの前足部領域の外甲側側面概略図である。
【図５Ａ】図５の一部拡大図である。
【図６】図３のVI-VI線断面（前後方向縦断面）概略図である。
【図６Ａ】図６の一部拡大図である。
【図７】スパイクシューズ（図１）の爪先部領域の前後方向縦断面概略図である。
【図７Ａ】図７の一部拡大図であって、爪先保護部およびソールの係合状態を示す図である。
【図８】スパイクシューズ（図１）に爪先保護部を組み付ける際の手順を説明するための図である。
【図９】爪先保護部およびソールの係合状態の第１の変形例を示す図であって、図７Ａに相当している。
【図１０】爪先保護部およびソールの係合状態の第２の変形例を示す図であって、図７Ａに相当している。
【図１１】爪先保護部およびソールの係合状態の第３の変形例を示す図であって、図７Ａに相当している。
【図１２】爪先保護部およびソールの係合状態の第４の変形例を示す図であって、図７Ａに相当している。
【図１３】爪先保護部およびソールの係合状態の第５の変形例を示す図であって、図７Ａに相当している。
【図１４】本発明の他の実施例によるスパイクシューズの前足部領域の平面概略図であって、前記実施例の図２に相当している。
【発明を実施するための形態】
【００２１】
以下、本発明の実施例を添付図面に基づいて説明する。
図１ないし図８は、本発明の一実施例によるスパイクシューズの爪先保護部取付構造を説明するための図である。ここでは、スパイクシューズとして野球用スパイクシューズを例にとる。なお、以下の説明中、上方（上側/上）および下方（下側/下）とは、シューズの上下方向の位置関係を表し、前方（前側/前）および後方（後側/後）とは、シューズの前後方向の位置関係を表しており、幅方向とはシューズの左右方向を指すものとする。
【００２２】
図１ないし図３に示すように、野球用スパイクシューズ１は、着用者の足を覆うアッパー（甲被部）１０と、アッパー１０の下部が固着されたミッドソール１１およびその下部に配置されたアウトソール１２とを備えている。アッパー１０は、着用者の足を受け入れる履き口１０ａと、履き口１０ａに連通して足甲側に向かって前後方向に延びる開口部１０ｂとを有している。開口部１０ｂには舌革３１が配設されており、開口部１０ｂの左右の開口端部に形成された複数のハトメ１０ｃには靴紐１４が挿通している。アッパー１０は、たとえば天然皮革、合成皮革または人工皮革等から構成されている。
【００２３】
ミッドソール１１は、この例では、主にシューズ１の踵領域から中足部領域にかけての領域に配置されており、アウトソール１２は、シューズ１の踵領域から中足部領域をへて前足部領域まで延設されている。アッパー１０の下部は、この例では、シューズ１の踵領域から中足部領域にかけての領域においてはミッドソール１１に固着され、前足部領域においてはアウトソール１２に固着されている。ミッドソール１１は、軟質弾性部材から構成されており、具体的には、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体から構成されている。アウトソール１２は、硬質弾性部材から構成されており、具体的には、熱可塑性ポリウレタン（ＴＰＵ）やポリアミドエラストマー（ＰＡＥ）等の熱可塑性樹脂、エポキシ樹脂等の熱硬化性樹脂、またはソリッドラバーから構成されている。また、アウトソール１２の素材として、熱可塑性エラストマーのPebax（登録商標）等のポリアミド樹脂を採用するようにしてもよい。アウトソール１２には、底面１２ａから下方に突出する複数のスパイク１５が取り付けられている。なお、図３中、アウトソール１２の底面１２ａに防滑目的でまたは意匠的効果等を狙って設けられる様々な突起や溝、リブ等は図示を省略している（他の図面においても同様）。
【００２４】
シューズ１の爪先部には、図１ないし図３に示すように、爪先保護部２が設けられている。爪先保護部２は、爪先部においてアッパー１０の上面に配置される上面部２０と、爪先部の主に周縁領域に沿って湾曲しつつ内甲側から外甲側にかけて周方向に配設されかつ爪先部の先端近傍においてアッパー１０の上面側にも一部延設されるとともに、上面部２０に連結された周縁部２１とを有している。上面部２０は、アッパー１０と同様の素材である天然皮革、合成皮革または人工皮革等から構成されている。周縁部２１は、たとえば熱可塑性ポリウレタン（ＴＰＵ）等からなる樹脂製である。爪先保護部２は、たとえば、上面部２０をインサートとしてインサート成形されている。爪先保護部２の周縁部２１は、外甲側よりも内甲側に長く配設されており（図２、図３参照）、それに伴って、上面部２０は外甲側よりも内甲側の領域を広く覆っている（図１、図２中の上面部２０の外形線２０ａ参照）。上面部２０の内甲側角部には、靴紐１４が挿通するハトメ２０ｂが形成されている。
【００２５】
図１および図２に示すように、爪先保護部２の周縁部２１の内周面（つまり、シューズ１の爪先部の周縁領域と対向する面）には、内周側に突出する凸条部（係合凸部／係合部）２１ａが設けられている。凸条部２１ａは、図１および図２に示すように、周縁部２１の内甲側端および（または）外甲側端との間に間隔を空けて、あるいは周縁部２１の内周面の全周に沿って、周方向に延びている。後述するように、爪先保護部２は凸条部２１ａを介してシューズ１の爪先部に取り付けられており、爪先保護部２の凸条部２１ａは、シューズ１の爪先部の周縁領域に沿って周方向に延びる部位である。また、爪先保護部２の周縁部２１は、図３に示すように、アウトソール１２の底面１２ａの側まで延設されていない。なお、同図中に示す一点鎖線は、従来技術と対比させる観点から追記したもので、従来のつま先カバー（特開２００８−２８４１１３号公報）や保護カバー（特開昭６４−８３２０２号公報）を靴底に釘打ちするための打ち代を示している。
【００２６】
図４ないし図６Ａは、シューズの前足部領域のソール構造を示している。図４はソール構造の内甲側側面概略図、図５はソール構造の外甲側側面概略図、図６はソール構造の前後方向縦断面概略図であり、図４Ａ、図５Ａ、図６Ａは各々対応する各図の一部拡大図である。
【００２７】
図４および図５に示すように、シューズの爪先部においてアウトソール１２の上面１２ｂには、トウガード１３が設けられている。トウガード１３は、爪先部の周縁領域に沿って内甲側から外甲側にかけて周方向に配設されるとともに、爪先保護部２の周縁部２１に対応する位置に配置されており（図３参照）、外甲側よりも内甲側に長く延びている。トウガード１３の外周面には、外周面に沿って周方向に延びる凹溝（係合凹部／被係合部）１３ａが形成されている。凹溝１３ａは、図４Ａおよび図５Ａに示すように、凹曲面状（凹円弧状）の底部を有している。凹溝１３ａは、爪先保護部２の周縁部２１の凸条部２１ａに対応する位置に配置されており、凸条部２１ａが係合し得るように設けられている。トウガード１３は、図６および図６Ａに示すように、略Ｌ字状の断面形状を有する薄肉の部材であって、爪先部の周縁領域に沿って配設された立上げ部１３Ａと、立上げ部１３Ａの下端に連結され、アウトソール１２の上面１２ｂ上に配置されるベース部１３Ｂとを有している。トウガード１３は、たとえば熱可塑性ポリウレタン（ＴＰＵ）等からなる樹脂製である。トウガード１３は、たとえば、インサート成形によりアウトソール１２の上面１２ｂ上に固着されている。
【００２８】
図７は、爪先保護部２がシューズ１の爪先部に取り付けられた状態において、シューズ１の爪先部領域の前後方向縦断面を示しており、図７Ａは、爪先保護部２の凸条部２１ａを含む領域を拡大して示している。これらの図に示すように、爪先保護部２の凸条部２１ａは、シューズ１の爪先部に配置されたトウガード１３の凹溝１３ａに係合しており、この状態で、爪先保護部２の周縁部２１の内周面はトウガード１３の外周面に密着するとともに、周縁部２１の上部および上面部２０はアッパー１０の上面に沿って配設されている。図７および図７Ａでは、シューズ１の前後方向断面位置において、爪先保護部２の凸条部２１ａがトウガード１３の凹溝１３ａに係合した状態が示されているが、凸条部２１ａはその延設領域の全体にわたって凹溝１３ａに係合している（図１、図２参照）。なお、この係合状態は、着用者が爪先保護部２のたとえば内甲側端／外甲側端／底側端に指先を当てて力を加えれば外すことができるようになっており、係脱可能である。凸条部２１ａは、図７Ａに示すように、凸曲面状（凸円弧状）またはなだらかな山形状の断面形状を有しており、これと係合する凹溝１３は、凸条部２１ａの断面形状の相補的形状の断面形状を有している。また、図７に示すように、爪先保護部２は、略Ｌ字状の前後方向断面形状を有している。これは、爪先保護部２がアウトソール１２側への延設部を有していないことと対応している。
【００２９】
次に、本実施例の作用効果について説明する。
爪先保護部２をシューズ１の爪先部に取り付ける際には、図８に示すように、シューズ１の前方からシューズ１の爪先部に向かって爪先保護部２を挿入する（図示矢印参照）。このとき、爪先保護部２の上面部２０の内側面をシューズ１のアッパー１０の足甲部の上面に沿わせるとともに、爪先保護部２の周縁部２１をシューズ１の爪先部の周縁領域に対向させつつ挿入することにより、周縁部２１の凸条部２１ａをトウガード１３の凹溝１３ａに係合させる。この係合の際には、周縁部２１の外周面の周方向に沿って指先で押さえることにより、凸条部２１ａを凹溝１３ａの底部の奥まで確実に係合させることが可能である（図７、図７Ａ参照）。
【００３０】
このように本実施例によれば、爪先保護部２をシューズ１の爪先部に取り付けるには、爪先保護部２の凸条部２１ａをトウガード１３の凹溝１３ａに係合させればよく、取付時に釘やリベット等を必要としないので、簡単に取り付けることが可能である。また、釘打ちやリベット打ちのための打ち代をアウトソール底面側に必要としないので、スパイク１５をアウトソール１２の爪先先端側にも配置できるようになって（図３ないし図７参照）、スパイク１５の設置レイアウトの自由度を向上できるとともに、爪先部の接地時の支持安定性を向上できる。とくに、図３には、従来の釘の打ち代２２（一点鎖線参照）の領域にもスパイク１５を配置できることが明確に示されている。さらに、爪先保護部２はシューズ１の爪先部から取り外すことができるため、爪先保護部２の消耗時には交換可能である。
【００３１】
また、本実施例によれば、爪先保護部２が、周縁部２１の内周面から内周側に突出する凸条部２１ａとこれに係合するトウガード１３の凹溝１３ａを介して、シューズ１の爪先部に取り付けられるので、野球の送球動作のような運動の際にシューズ１の爪先部に上下方向の剪断力が作用した場合でも、このような剪断力を凸条部２１ａおよび凹溝１３ａによる凹凸係合で受けることができ、剪断力の作用によって爪先保護部２が上下方向にずれることがないので、強固な係合状態を実現できる。なお、凸条部２１ａを凹溝１３ａに係合させる際には、爪先保護部２の周縁部２１の内周面（凸条部２１ａを含む）およびトウガード１３の外周面（凹溝１３ａを含む）に予め接着剤を塗布しておくことで、より強固な係合状態を確保できる。
【００３２】
以上、本発明に好適な実施例について説明したが、本発明の適用はこれに限定されるものではなく、本発明には種々の変形例が含まれる。以下に変形例のいくつかの例を挙げておく。なお、変形例を示す各図において、前記実施例と同一符号は同一または相当部分を示している。
【００３３】
＜第１の変形例＞
前記実施例では、爪先保護部２の凸条部２１ａが凸曲面状（凸円弧状）またはなだらかな山形状の断面形状を有し、これと係合する凹溝１３ａが、凸条部２１ａの断面形状の相補的形状である凹曲面状（凹円弧状）またはなだらかな山形状の断面形状を有している例を挙げたが、図９に示す第１の変形例では、凸条部２１ａが半円状の断面形状を有し、これと係合する凹溝１３ａが、凸条部２１ａの断面形状の相補的形状である半円状の断面形状を有している。
【００３４】
＜第２の変形例＞
図１０に示す第２の変形例では、凸条部２１ａが円形状の断面形状を有し、これと係合する凹溝１３ａが、凸条部２１ａの断面形状の相補的形状である円形状の断面形状を有している。この場合、凸条部２１ａは基端側（図示右側）の方が先端側（図示左側）よりも上下方向長さが短くなっており、凹溝１３ａはその開口部１３ａ１の開口幅（上下方向長さ）が、凸条部２１ａの基端側の上下方向長さに対応して短くなっている。よって、凸条部２１ａを凹溝１３ａに係合させる際には、凸条部２１ａの先端側部分が、凹溝１３ａの開口部１３ａ１を弾性変形させて拡げつつ凹溝１３ａ内に進入する必要があり、そのため、係合状態においては、凸条部２１ａが凹溝１３ａから簡単に外れないようになっており、剪断力の作用に対してより強固な係合状態を確保できる。
【００３５】
＜第３の変形例＞
前記実施例および前記第１、第２の変形例では、爪先保護部２の凸条部２１ａが半円状および円形状を含む凸曲面状（凸円弧状）の断面形状を有し、これと係合する凹溝１３ａが、凸条部２１ａの断面形状の相補的形状である凹曲面状（凹円弧状）の断面形状を有している例を挙げたが、図１１に示す第３の変形例では、凸条部２１ａが矩形状の断面形状を有し、これと係合する凹溝１３ａが、凸条部２１ａの断面形状の相補的形状である矩形状の断面形状を有している。
【００３６】
＜第４の変形例＞
図１２に示す第４の変形例では、凸条部２１ａが台形状の断面形状を有し、これと係合する凹溝１３ａが、凸条部２１ａの断面形状の相補的形状である台形状の断面形状を有している。より詳細には、凸条部２１ａおよび凹溝１３ａは、凸条部２１ａを「アリ」としかつ凹溝１３ａを「アリ溝」とする係合をしている。この場合、前記第２の変形例と同様に、凸条部２１ａは基端側（図示右側）の方が先端側（図示左側）よりも上下方向長さが短くなっており、凹溝１３ａはその開口部１３ａ１の開口幅（上下方向長さ）が、凸条部２１ａの基端側の上下方向長さに対応して短くなっている。よって、凸条部２１ａを凹溝１３ａに係合させる際には、凸条部２１ａの先端側部分が、凹溝１３ａの開口部１３ａ１を弾性変形させて拡げつつ凹溝１３ａ内に進入する必要があり、そのため、係合状態においては、凸条部２１ａが凹溝１３ａから簡単に外れないようになっており、剪断力の作用に対してより強固な係合状態を確保できる。
【００３７】
＜第５の変形例＞
前記実施例および前記第１ないし第４の変形例では、爪先保護部２に凸条部２１ａが設けられ、トウガード１３に凹溝１３ａが形成された例を示したが、本発明の適用はこれに限定されない。両者の凹凸関係は逆でもよい。すなわち、図１３に示すように、トウガード１３に凸条部１３ａが設けられ、爪先保護部２に、凸条部１３ａが係合し得る凹溝２１ａが形成されていてもよい。同図は前記実施例の図７Ａに対応しており、そのため、凸条部１３ａは凸曲面状（凸円弧状）またはなだらかな山形状の断面形状を有し、これと係合する凹溝２１ａは、凸条部１３ａの断面形状の相補的形状である凹曲面状（凹円弧状）またはなだらかな山形状の断面形状を有しているが、前記第１ないし第４の変形例における他の断面形状についても同様である。
【００３８】
＜第６の変形例＞
前記実施例および前記第１ないし第４の変形例では、爪先保護部２に一本（一条）の凸条部２１ａが設けられ、トウガード１３に、これに対応する一本（一条）の凹溝１３ａが形成された例を示したが、本発明の適用はこれに限定されない。凸条部２１ａおよびこれに対応する凹溝１３ａは、上下方向に間隔を隔てて複数本設けられていてもよい。また、凸条部２１ａおよびこれに対応する凹溝１３ａは、周方向に途切れなく連続して延設されていなくてもよく、周方向に断続的に（つまり間隔を隔てて）複数本設けられていてもよい。あるいは、凸条部２１ａおよびこれに対応する凹溝１３ａは、上下方向および周方向に複数本設けられていてもよい。この点は、凹凸関係を逆にした前記第５の変形例においても同様であって、凸条部１３ａおよびこれに対応する凹溝２１ａは、上下方向および（または）周方向に複数本設けられていてもよい。
【００３９】
図１４は、本発明の他の実施例による野球用スパイクシューズの爪先保護部取付構造を説明するための図であって、同図中、前記実施例と同一符号は同一または相当部分を示している。
図１４に示すように、爪先保護部２の周縁部２１および上面部２０の一部には、上下方向に延びる複数の切欠き２３が形成されている。切欠き２３の各上端は、上面部２０の外形線２０ａまでは延びておらず、上面部２０の前後方向中間部分に配置されている。このように、この他の実施例では、爪先保護部２の一部がシューズ１の爪先部の周縁領域において周方向に複数の領域に分断されている。
【００４０】
これにより、各領域とこれに隣り合う各領域との間の切欠き２３による間隙が変化し得るようになっており、その結果、種々の爪先形状に対応でき、サイズの異なる種々のスパイクシューズに対応できる。
【００４１】
＜第７の変形例＞
前記実施例および前記第１ないし第６の変形例では、トウガード１３を別途設け、凹溝１３ａがトウガード１３に形成された例を示したが、本発明の適用はこれに限定されない。アウトソール１２の前端をシューズ１の爪先部の周縁領域まで延設することにより巻上げ部を設け、当該巻上げ部に凹溝を形成するようにしてもよい。
【００４２】
＜その他の変形例＞
上述した各実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００４３】
＜他の適用例＞
前記実施例および前記各変形例では、本発明による爪先保護部取付構造が野球用スパイクシューズに適用された例を示したが、本発明の適用はこれに限定されるものではなく、本発明は、ソフトボール用スパイクシューズやその他のスパイクシューズにも同様に適用可能である。
【産業上の利用可能性】
【００４４】
以上のように、本発明は、釘やリベット等を用いずに爪先保護部をスパイクシューズに簡単に取り付けることができるスパイクシューズ用爪先保護部取付構造に有用である。
【符号の説明】
【００４５】
１：  野球用スパイクシューズ
１３：  トウガード（ソール）
１３ａ：  凹溝（係合凹部／被係合部）
２：  爪先保護部
２０：  上面部
２１：  周縁部
２１ａ：  凸条部（係合凸部／係合部）
【先行技術文献】
【特許文献】
【００４６】
【特許文献１】特開２００８−２８４１１３号公報（図１および図２、ならびに段落［００１６］〜［００１７］および［００１９］参照）
【特許文献２】特開昭６４−８３２０２号公報（第５図、および明細書の右下欄第６〜１３行参照）
【図１】
2020039605.tif 000003
【図２】
2020039605.tif 000004
【図３】
2020039605.tif 000005
【図４】
2020039605.tif 000006
【図４Ａ】
2020039605.tif 000007
【図５】
2020039605.tif 000008
【図５Ａ】
2020039605.tif 000009
【図６】
2020039605.tif 000010
【図６Ａ】
2020039605.tif 000011
【図７】
2020039605.tif 000012
【図７Ａ】
2020039605.tif 000013
【図８】
2020039605.tif 000014
【図９】
2020039605.tif 000015
【図１０】
2020039605.tif 000016
【図１１】
2020039605.tif 000017
【図１２】
2020039605.tif 000018
【図１３】
2020039605.tif 000019
【図１４】
2020039605.tif 000020